(57)【要約】【課題】双方側の使用につき液状塗布材を使用した塗布具として使用する場合も、一方側が塗布具で他方側はパウダーとしての使用のものでも、さらには他方側には白髪染めとしての塗布具の使用した場合にも、同一規格のボディを使用して作製でき、作製の手間とコストを安価に出来るダブル使用の塗布具を提供することを目的とする。【解決手段】本発明は、略円筒状をなすボディと、芯状をなす塗布部材と、液状塗布材を貯留する貯留部と、液状塗布材の含浸量を調整する液状塗布材吸収体とを有し、貯留部を形成する後端側仕切り壁と、仕切り壁からボディの長手方向他端側に向かって設けられた空間には、ボディの長手方向一端側の塗布部材と同規格の塗布部材が取り付け可能とされ、ボディの両側に塗布部材が取り付けられたとき、貯留部を形成する仕切り壁が打ち抜かれ、貯留部の液状塗布材をボディの両側に塗布部材で兼用できることを特徴とする。【選択図】       図１
2018126250.tif 000002
【特許請求の範囲】
【請求項１】
略円筒状をなすボディと、該ボディ内に収納され、ボディの長手方向一端側から描画可能に構成された芯状をなす塗布部材と、前記塗布部材の後端側に設けられ、前記塗布部材に含浸する液状塗布材を貯留する貯留部と、前記塗布部材への液状塗布材の含浸量を調整する液状塗布材吸収体と、を有し、
前記貯留部を形成する後端側仕切り壁と、該仕切り壁から前記ボディの長手方向他端側に向かって設けられた空間には、前記ボディの長手方向一端側に取り付けられた芯状の塗布部材と同規格の塗布部材が取り付け可能とされ、
前記ボディの両側に塗布部材が取り付けられたとき、前記貯留部を形成する前記仕切り壁が打ち抜かれ、前記貯留部の液状塗布材を前記ボディの両側に塗布部材で兼用できる、
ことを特徴とするダブル使用の塗布具。
【請求項２】
前記ボディの長手方向他端側の空間には、塗布部材に替えて、前記塗布部材以外の化粧用部材が取り付け可能とされ、その場合には、前記仕切り壁は打ち抜かないで残される、
ことを特徴とする請求項１記載のダブル使用の塗布具。
【発明の詳細な説明】
【技術分野】
【０００１】
本発明は、例えばアイライナーやアイブローのような化粧用具、あるいは頭髪や眉毛などの部分白髪染め具など内部に貯留した液状塗布材を塗布部に浸潤させ、これを先端塗布部より塗布あるいは描画して使用する塗布具に係り、特にボディの両側共に使用出来る様構成したダブル使用の塗布具に関するものである。
【背景技術】
【０００２】
従来より、アイライナーなど内部に液状塗布材を貯留し、この液状塗布材を繊維部材などからなる芯材により構成された塗布部材に吸収、浸潤させ、該塗布部材の先端塗布部によって塗布あるいは描画する塗布具が一般に知られている。
【０００３】
これら塗布具については、従来、一方側のみがアイライナーなどとして使用できるタイプとして一般的である。しかしながら、近年では、一方側のみならず双方向で使用できる、いわゆるダブル使用タイプが要請されるに至っている。そして、他方側での使用は塗布具に限らず、パウダータイプや白髪染めタイプの塗布具に構成することもある。
【先行技術文献】
【特許文献】
【０００４】
【特許文献１】特開２００８−２１３１８８号公報
【発明の概要】
【発明が解決しようとする課題】
【０００５】
かくして、本発明によるダブル使用の塗布具は、前記従来の要請に鑑みて創案されたものであり、ダブル使用タイプの塗布具であって、双方側の使用につき液状塗布材を使用した塗布具として使用する場合も、一方側が塗布具で他方側はパウダーとしての使用のものでも、さらには他方側には白髪染めとしての塗布具の使用した場合にも、同一規格のボディを使用して作製でき、作製の手間とコストを安価に出来るダブル使用の塗布具を提供することを目的とするものである。
【課題を解決するための手段】
【０００６】
本発明によるダブル使用の塗布具は、
略円筒状をなすボディと、該ボディ内に収納され、ボディの長手方向一端側から描画可能に構成された芯状をなす塗布部材と、前記塗布部材の後端側に設けられ、前記塗布部材に含浸する液状塗布材を貯留する貯留部と、前記塗布部材への液状塗布材の含浸量を調整する液状塗布材吸収体と、を有し、
前記貯留部を形成する後端側仕切り壁と、該仕切り壁から前記ボディの長手方向他端側に向かって設けられた空間には、前記ボディの長手方向一端側に取り付けられた芯状の塗布部材と同規格の塗布部材が取り付け可能とされ、
前記ボディの両側に塗布部材が取り付けられたとき、前記貯留部を形成する前記仕切り壁が打ち抜かれ、前記貯留部の液状塗布材を前記ボディの両側に塗布部材で兼用できる、
ことを特徴とし、
または、
前記ボディの長手方向他端側の空間には、塗布部材に替えて、前記塗布部材以外の化粧用部材が取り付け可能とされ、その場合には、前記仕切り壁は打ち抜かないで残される、
ことを特徴とするものである。
【発明の効果】
【０００７】
本発明によるダブル使用の塗布具であれば、
ダブル使用タイプの塗布具であって、双方の使用につき液状塗布材を使用した塗布具として使用する場合も、一方側が塗布具で他方側はパウダーとしての使用のものでも、さらには他方側には白髪染めとしての塗布具の使用した場合にも、同一規格のボディを使用して作製でき、ダブル使用対応の塗布具作製の手間とコストを安価に出来る。
【図面の簡単な説明】
【０００８】
【図１】本発明によるダブル使用の塗布具の構成を説明する説明図である。
【図２】他の実施例によるダブル使用の塗布具の構成を説明する説明図（１）である。
【図３】他の実施例によるダブル使用の塗布具の構成を説明する説明図（２）である。
【図４】他の実施例によるダブル使用の塗布具の構成を説明する説明図（３）である。
【発明を実施するための形態】
【０００９】
以下、本発明を図に示す実施例に基づいて説明する。
【００１０】
図１は、本発明によるダブル使用の塗布具１の構成を示す構成説明図である。本発明による塗布具１は、略円筒状をなすボディ２を有している。そして、当該ボディ２の両端には、それぞれキャップ１７及びインナーキャップ１８を有してダブル使用出来る構成が採用される。
すなわち、ボディ２内には、芯状をなす塗布部材５が一対両側から保持され、取り付けられる。
【００１１】
ここで、前記一対の塗布部材５は通常繊維部材で構成され、後述する液状塗布材６が毛細管現象などによって徐々に含浸できるように構成されている。
この塗布部材５がボディ２の長手方向両端から２本使用出来るように取り付けられるのである。
【００１２】
次に、符号７は、吸収体を示す。図１から理解出来る様に、当該吸収体７は、塗布部材５の長手方向に２個取り付けられている。
そして、その外周面に何らの凹凸形状も施さない円柱状に構成され、その軸方向中心部には、軸方向に向かって貫通する貫通孔８が設けられている。
【００１３】
この貫通孔８に前記塗布部材５が貫挿して取り付けられている。従来この吸収体７は、外周が蛇腹状の凹凸面として構成された樹脂成形品で作製されていたが、前記樹脂成形品の金型費用が高額であり、そのため複数種類の形態をなす異なった吸収体７を作製すると塗布具自体のコストが高価となってしまっていた。
【００１４】
しかして、本発明の吸収体７は、例えば、内部に連続気泡を有するフォーム材などの含浸力を有する柔軟部材で構成されており、その大きさや長さを簡単に切断することにより形状が変更できるものとなっている。
【００１５】
符号９はノーズピースであり、前記芯状をなす塗布部材５の先端側を保持して、ボディ２の先端部に固着するものとしている。尚、前記塗布部材５の先端側には描画部材１０が被嵌して取り付けられており、該描画部材１０により含浸した液状塗布材６を使って、描画あるいは塗布するように構成されている。
【００１６】
符号１１は、プラグであり、ボディ２内において塗布部材５の後端側を貫挿させて保持すると共に、その後端部を隣に形成された貯留部１２側へ露出させている。尚、プラグ１１は、塗布部材５の後端側につき、プラグ貫挿孔１６内を貫挿させて塗布部材５を保持しているが、この貫挿孔１６の形状は四角状あるいは六角形状など異なった形状にしてある。これは液状塗布材６の粘性や材質に対応して貫挿孔１６とこれを貫挿する塗布部材５との間の隙間の幅を調整し、吸収体７側に浸潤する液状塗布材６の量を調整しようとしたものである。ここで、前記貯留部１２には液状塗布材６が貯留されるものとなる。
【００１７】
プラグ１１の貯留部１２側にはボディ２の長手方向に向かって突出する突出片２１が設けられており、その突出片２１内に塗布部材５の後端部が位置するように形成されている。
このように形成することにより、ボール１４が塗布部材５の後端部に直接衝突することがなく、塗布部材５の後端部の保護が図れることになる。
【００１８】
また、プラグ１１は塗布部材５の中間位置においても使用されており、この中間位置に設けられたプラグ１１により、液状塗布材６の液漏れや過浸潤を防止している。
【００１９】
符号１４はボールであり、貯留部１２に液状塗布材６を貯留した後、当該ボール１４を該貯留部１２に入れることにより、液状塗布材６の塗布部材５への含浸を促進でき、最後まで無駄なく液状塗布材６を使用できるものとなっている。尚、ボール１４を有しないタイプのダブル使用の塗布具１も存在する。
【００２０】
ところで、図３や図４に示すように、本発明の塗布具１を構成するボディ２内には、その略中間位置に打ち抜き可能な仕切り壁３があらかじめ設けられている。
【００２１】
しかして、この仕切り壁３には、該仕切り壁３とボディ２内周面との接続部に切れ込み２０が設けられており、例えば、仕切り壁３をボディ２の長手方向に沿って押すことにより、簡単に仕切り壁３をボディ２から切り離すことが出来る構成になっている。
【００２２】
図３に示す塗布具１は、一方側には液状塗布材６を使用して描画する塗布具が取り付けられ、他方側にはフェイス用のパウダー部材４が取り付けられるタイプである。しかしてこのようなダブル使用の塗布具１の場合は、前記仕切り壁３を打ち抜いてパウダー部材４側に液状塗布材６を供給する必要がない。よって、前記仕切り壁３を打ち抜かないで使用するものとなる。
【００２３】
また、図４に示す塗布具１は、一方側には液状塗布材６を使用して描画する塗布具が取り付けられ、他方側にはフェイス用のペンシル部材１３が取り付けられる。しかしてこのようなダブル使用の塗布具１の場合も、前記仕切り壁３を打ち抜いてペンシル部材１３側に液状塗布材６を供給する必要がない。よって、前記仕切り壁３を打ち抜かないで使用するものとなる。
【００２４】
しかしながら、図１や図２の場合、ボディ２の両側に塗布具１が形成されており、両方共に、液状塗布材６の使用が必要となる。したがって、このようなダブル使用の場合は、前記仕切り壁３を打ち抜いて使用することが必要となる。即ち、仕切り壁３を打ち抜けば、１つの貯留部１２で両方の塗布具１の液状塗布材６をまかなうことが出来るからである。
【００２５】
しかも、塗布部材５の先端に取り付けられた描画部材１０を各種用意しておけば、各種の使用に対応できる塗布具１を提供できるものとなる。
【００２６】
ここで、ダブル使用の塗布具１の組立につき説明する。
まず、ボディ２内において、その一方側の先端には、ノーズピース９を介して描画部材１０が取り付けられ、略中間位置から後端側に向かっては、所望の長さにカットされた吸収体７とプラグ１１が取り付けられて芯状の塗布部材５が取り付けられる。
【００２７】
尚、この際、前記仕切り壁３は打ち抜かれて取り払われるものとなる。その後、ボディ２の後端開口１５から液状塗布材６を、所望の領域空間とした貯留部１２内に充填する。
【００２８】
その後、ボディ２の後端側から、もう１つの塗布部材５が差し込まれる。すなわち、先端にノーズピース９を介して描画部材１０が取り付けられ、略中間位置から後端側に向かっては、所望の長さにカットされた吸収体７とプラグ１１が取り付けられた芯状の塗布部材５がボディ２の他方側から差し込まれて取り付けられるのである。
【００２９】
次に図３および図４に示すダブル使用の塗布具１についての組み立てにつき説明する。
まずボディ２内において、その一方側の先端にノーズピース９を介して描画部材１０が取り付けられ、略中間位置から後端側に向かっては、所望の長さにカットされた吸収体７とプラグ１１が取り付けられた芯状の塗布部材５が取り付けられる。
【００３０】
そして、この際、前記仕切り壁３は打ち抜かれないで残される。すなわち、液状塗布材６をボディ２の両側で使用しないからである。
よって、ボディ２の先端開口１９側から液状塗布材６を、所望の領域空間とした貯留部１２内に充填し、その後、塗布部材５を上記のように取り付ける。
【００３１】
ついで、ボディ２の後端側からは、液状塗布材６を使用しない他の種類の塗布具１が差し込まれる。すなわち、例えば、他方側にはフェイス用のパウダー部材４やフェイス用のペンシル部材１３が取り付けられる。
よって、このような塗布具の場合は、仕切り壁３を打ち抜かないで使用するものとなる。
【００３２】
尚、図３、図４にはボディ２の他方側においてフェイス用のパウダー部材４やフェイス用のペンシル部材１３が取り付けられて使用される例を示したが、これに限定されるものではなく、液状塗布材６を使用しないものであればこの他方側に取り付けてダブル使用の塗布具とすることが出来る。そして、このような使用の場合には、前記仕切り壁３はそのまま残してボディ２を使用することになる。
【符号の説明】
【００３３】
１      ダブル使用の塗布具
２      ボディ
３      仕切り壁
４      パウダー部材
５      塗布部材
６      液状塗布材
７      吸収体
８      貫通孔
９      ノーズピース
１０    描画部材
１１    プラグ
１２    貯留部
１３    ペンシル部材
１４    ボール
１５    後端開口
１６    プラグ貫挿孔
１７    キャップ
１８    インナーキャップ
１９    ボディの先端開口
２０    切れ込み
２１    突出片
【図１】
2018126250.tif 000003
【図２】
2018126250.tif 000004
【図３】
2018126250.tif 000005
【図４】
2018126250.tif 000006